(57)【要約】 【課題】採光性能を維持しつつ、意匠性にも優れた採光具およびロールスクリーンを提供する。【解決手段】採光具１は、光入射面に入射された光を偏向させる光偏向部を有する採光シート２と、採光シートの光入射面とは反対側の光出射面上の少なくとも一部に配置され可視光透過孔を有する多孔シート３と、を備える。【選択図】図１
2016069992.tif 000002
【特許請求の範囲】
【請求項１】
光入射面に入射された光を偏向させる光偏向部を有する採光シートと、
前記採光シートの光入射面とは反対側の光出射面上の少なくとも一部に配置され可視光透過孔を有する多孔シートと、を備える採光具。
【請求項２】
前記多孔シートは、前記採光シートの光出射面上の複数箇所に離隔して配置される請求項１に記載の採光具。
【請求項３】
前記採光シートの光出射面上の複数箇所に離隔して配置される複数の前記多孔シートは、前記採光シートの一方向に平行に配置され、
前記複数の多孔シート同士の隙間は一定である請求項２に記載の採光具。
【請求項４】
前記採光シートの光出射面上の複数箇所に離隔して配置される複数の前記多孔シートは、前記採光シートの一方向に平行に配置され、
前記複数の多孔シート同士の隙間と前記複数の多孔シートの前記一方向における幅との少なくとも一方は段階的に変化する請求項２に記載の採光具。
【請求項５】
前記採光シートの光出射面上の複数箇所に離隔して配置される複数の前記多孔シートは、前記採光シートの一方向に平行に配置され、
前記複数の多孔シート同士の隙間と前記複数の多孔シートの前記一方向における幅との少なくとも一方は不規則である請求項２に記載の採光具。
【請求項６】
前記多孔シートは、前記採光シートのつなぎ目に沿って、あるいは前記つなぎ目に重なる場所に配置される請求項１乃至５のいずれかに記載の採光具。
【請求項７】
前記多孔シートは、前記採光シート内の欠陥部に沿って、あるいは前記欠陥部に重なる場所に配置される請求項１乃至５のいずれかに記載の採光具。
【請求項８】
前記光偏向部は、前記光入射面に沿って離隔して配置される複数の溝を有するベース部と、前記ベース部とは異なる屈折率を持ち前記複数の溝内に配置される複数のルーバー部と、を有し、
前記多孔シートは、前記複数のルーバー部の長手方向に沿って配置される請求項１乃至７のいずれかに記載の採光具。
【請求項９】
前記多孔シートは、前記採光シートの光出射面に配置され、
前記多孔シートは、
第１透過率部と、
前記第１透過率部よりも可視光透過率の高い第２透過率部と、を有する請求項１に記載の採光具。
【請求項１０】
前記第２透過率部は、可視光に対して透明である請求項９に記載の採光具。
【請求項１１】
前記第２透過率部は、隣接配置される２つの前記第１透過率部よりも単位面積当たりの孔の面積が大きい領域である請求項９に記載の採光具。
【請求項１２】
前記第１透過率部は、前記採光シートの光出射面上の複数箇所に離隔して配置され、
これら複数の第１透過率部は、前記採光シートの一方向に平行に配置され、
前記複数の第１透過率部同士の隙間は一定である請求項９乃至１１のいずれかに記載の採光具。
【請求項１３】
前記第１透過率部は、前記採光シートの光出射面上の複数箇所に離隔して配置され、
これら複数の第１透過率部は、前記採光シートの一方向に平行に配置され、
前記複数の第１透過率部同士の隙間と前記複数の第１透過率部の前記一方向における幅との少なくとも一方は段階的に変化する請求項９乃至１１のいずれかに記載の採光具。
【請求項１４】
前記第１透過率部は、前記採光シートの光出射面上の複数箇所に離隔して配置され、
これら複数の第１透過率部は、前記採光シートの一方向に平行に配置され、
前記複数の第１透過率部同士の隙間と前記複数の第１透過率部の前記一方向における幅との少なくとも一方は不規則である請求項９乃至１１のいずれかに記載の採光具。
【請求項１５】
前記第１透過率部と前記第２透過率部との境界は、前記採光シートのつなぎ目に沿って、あるいはつなぎ目に重なる場所に配置される請求項９乃至１４のいずれかに記載の採光具。
【請求項１６】
前記第１透過率部は、前記採光シート内の欠陥部に沿って、あるいは前記欠陥部に重なる場所に配置される請求項９乃至１４のいずれかに記載の採光具。
【請求項１７】
前記光偏向部は、前記光入射面に沿って離隔して配置される複数の溝を有するベース部と、前記ベース部とは異なる屈折率を持ち前記複数の溝内に配置される複数のルーバー部と、を有し、
前記第１および第２透過率部の少なくとも一部は、前記複数のルーバー部の長手方向に沿って配置される請求項９乃至１６のいずれかに記載の採光具。
【請求項１８】
前記第１透過率部および前記第２透過率部の少なくとも一部は、前記複数のルーバー部の長手方向とは異なる方向に配置される請求項１７に記載の採光具。
【請求項１９】
前記第１透過率部および前記第２透過率部は、前記採光シートの光入射面とは反対側の光出射面上に千鳥状に配置される請求項１７または１８に記載の採光具。
【請求項２０】
前記多孔シートは、繊維シートを含む請求項１乃至１９のいずれかに記載の採光具。
【請求項２１】
前記繊維シートは、織布、不織布、編み物、レース、またはフェルトである請求項１９に記載の採光具。
【請求項２２】
前記多孔シートは、貫通孔を有する樹脂シートを含む請求項１乃至２１のいずれかに記載の採光具。
【請求項２３】
請求項１乃至２２のいずれかに記載の採光具をロール状に巻回するとともに、巻回した前記採光具を面状に展開する機構を備えたロールスクリーン。
【発明の詳細な説明】
【技術分野】
【０００１】
本発明は、採光機能を有する採光具およびロールスクリーンに関する。
【背景技術】
【０００２】
採光機能を持たせたロールアップスクリーン（以下、ロールスクリーンと呼ぶ）が知られている（特許文献１および２参照）。特許文献１および２に記載のロールスクリーンは、光透過部と光拡散部を有する光拡散層を備えており、光透過部と光拡散部との界面で光を反射させて、入射光を室内の上方に跳ね上げるようにしている。
【先行技術文献】
【特許文献】
【０００３】
【特許文献１】特開２０１３−１５５５６９号公報
【特許文献２】特開２０１３−１５７２７３号公報
【発明の概要】
【発明が解決しようとする課題】
【０００４】
採光機能を持たせた従来のロールスクリーンは、樹脂で形成されることが多いが、室内のインテリア・デザインの観点からは、樹脂以外の部材（例えば、布など）で形成した方が望ましい場合もありうる。
【０００５】
また、大型のロールスクリーンの場合、一枚の採光シートで構成するのは困難になり、複数枚の採光シートをつなぎ合わせる必要がある。この場合、採光シート同士のつなぎ目がロールスクリーンの表面に露出してしまい、見た目にもよくない。
【０００６】
さらに、採光シートの母材に溝を形成して、この溝に母材とは異なる材料を充填して光の屈折率界面を形成する場合、製造上の不具合により、溝などの周囲に欠陥部が形成されてしまうことがある。この欠陥部は採光シートの外観に現れるため、見た目上好ましくない。
【０００７】
本発明は、上述した課題に鑑みてなされたものであり、その目的は、採光性能を維持しつつ、意匠性にも優れた採光具およびロールスクリーンを提供することにある。
【課題を解決するための手段】
【０００８】
本発明の一態様によれば、光入射面に入射された光を偏向させる光偏向部を有する採光シートと、
前記採光シートの光入射面とは反対側の光出射面上の少なくとも一部に配置され可視光透過孔を有する多孔シートと、を備える採光具が提供される。
【０００９】
前記多孔シートは、前記採光シートの光出射面上の複数箇所に離隔して配置されてもよい。
【００１０】
前記採光シートの光出射面上の複数箇所に離隔して配置される複数の前記多孔シートは、前記採光シートの一方向に平行に配置されてもよく、
前記複数の多孔シート同士の隙間は一定であってもよい。
【００１１】
前記採光シートの光出射面上の複数箇所に離隔して配置される複数の前記多孔シートは、前記採光シートの一方向に平行に配置されてもよく、
前記複数の多孔シート同士の隙間と前記複数の多孔シートの前記一方向における幅との少なくとも一方は段階的に変化してもよい。
【００１２】
前記採光シートの光出射面上の複数箇所に離隔して配置される複数の前記多孔シートは、前記採光シートの一方向に平行に配置されてもよく、
前記複数の多孔シート同士の隙間と前記複数の多孔シートの前記一方向における幅との少なくとも一方は不規則であってもよい。
【００１３】
前記多孔シートは、前記採光シートのつなぎ目に沿って、あるいは前記つなぎ目に重なる場所に配置されてもよい。
【００１４】
前記多孔シートは、前記採光シート内の欠陥部に沿って、あるいは前記欠陥部に重なる場所に配置されてもよい。
【００１５】
前記光偏向部は、前記光入射面に沿って離隔して配置される複数の溝を有するベース部と、前記ベース部とは異なる屈折率を持ち前記複数の溝内に配置される複数のルーバー部と、を有してもよく、
前記多孔シートは、前記複数のルーバー部の長手方向に沿って配置されてもよい。
【００１６】
前記多孔シートは、前記採光シートの光出射面に配置されてもよく、
前記多孔シートは、
第１透過率部と、
前記第１透過率部よりも可視光透過率の高い第２透過率部と、を有してもよい。
【００１７】
前記第２透過率部は、可視光に対して透明であってもよい。
【００１８】
前記第２透過率部は、隣接配置される２つの前記第１透過率部よりも単位面積当たりの孔の面積が大きい領域であってもよい。
【００１９】
前記第１透過率部は、前記採光シートの光出射面上の複数箇所に離隔して配置されてもよく、
これら複数の第１透過率部は、前記採光シートの一方向に平行に配置されてもよく、
前記複数の第１透過率部同士の隙間は一定であってもよい。
【００２０】
前記第１透過率部は、前記採光シートの光出射面上の複数箇所に離隔して配置されてもよく、
これら複数の第１透過率部は、前記採光シートの一方向に平行に配置されてもよく、
前記複数の第１透過率部同士の隙間と前記複数の第１透過率部の前記一方向における幅との少なくとも一方は段階的に変化してもよい。
【００２１】
前記第１透過率部は、前記採光シートの光出射面上の複数箇所に離隔して配置されてもよく、
これら複数の第１透過率部は、前記採光シートの一方向に平行に配置されてもよく、
前記複数の第１透過率部同士の隙間と前記複数の第１透過率部の前記一方向における幅との少なくとも一方は不規則であってもよい。
【００２２】
前記第１透過率部と前記第２透過率部との境界は、前記採光シートのつなぎ目に沿って、あるいはつなぎ目に重なる場所に配置されてもよい。
【００２３】
前記第１透過率部は、前記採光シート内の欠陥部に沿って、あるいは前記欠陥部に重なる場所に配置されてもよい。
【００２４】
前記光偏向部は、前記光入射面に沿って離隔して配置される複数の溝を有するベース部と、前記ベース部とは異なる屈折率を持ち前記複数の溝内に配置される複数のルーバー部と、を有してもよく、
前記第１および第２透過率部の少なくとも一部は、前記複数のルーバー部の長手方向に沿って配置されてもよい。
【００２５】
前記第１透過率部および前記第２透過率部の少なくとも一部は、前記複数のルーバー部の長手方向とは異なる方向に配置されてもよい。
【００２６】
前記第１透過率部および前記第２透過率部は、前記採光シートの光入射面とは反対側の光出射面上に千鳥状に配置されてもよい。
【００２７】
前記多孔シートは、繊維シートを含んでいてもよい。
【００２８】
前記繊維シートは、織布、不織布、編み物、レース、またはフェルトであってもよい。
【００２９】
前記多孔シートは、貫通孔を有する樹脂シートを含んでいてもよい。
【００３０】
上述した採光具をロール状に巻回するとともに、巻回した前記採光具を面状に展開する機構を備えたロールスクリーンが提供されてもよい。
【発明の効果】
【００３１】
本発明によれば、採光性能を維持しつつ、意匠性にも優れた採光具およびロールスクリーンを提供できる。
【図面の簡単な説明】
【００３２】
【図１】本発明の第１の実施形態による採光具１の斜視図。
【図２】図１の天地方向における部分断面図。
【図３】図２に対応する採光具１の部分斜視図。
【図４】図２の第１変形例による採光具１の部分断面図。
【図５】図２の第２変形例による採光具１の部分断面図。
【図６】図２の第３変形例による採光具１の部分斜視図。
【図７】図２の第４変形例による採光具１の部分斜視図。
【図８】図２の第５変形例による採光具１の部分斜視図。
【図９】図２の第６変形例による採光具１の部分斜視図。
【図１０】採光シートの断面図。
【図１１】第２の実施形態による採光具１の斜視図。
【発明を実施するための形態】
【００３３】
以下、図面を参照して本発明の実施の形態について説明する。なお、本件明細書に添付する図面においては、図示と理解のしやすさの便宜上、適宜縮尺および縦横の寸法比等を、実物から変更し誇張してある。
【００３４】
なお、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３５】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００３６】
さらに、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、後述する採光シートと繊維シートはいずれも平行であるか、若干傾斜して配置される場合もあるが、本明細書では各層を総称してシート面と呼ぶこともある。また、本明細書において、シート状（フィルム状、板状、パネル状）の部材に対して用いる「法線方向」とは、当該部材のシート面への法線方向のことを指す。
【００３７】
（第１の実施形態）
図１は本発明の第１の実施形態による採光具１の斜視図、図２は図１の天地方向における部分断面図である。図１の採光具１は、例えば窓の内側に配置されるロールスクリーン１である。図１のロールスクリーン１は、光が入射される側に配置される採光シート２と、この採光シート２の光出射面側に配置される多孔シート３とを備えている。ロールスクリーン１の上部には、多孔シート３付きの採光シート２を巻き取るロール機構２１が設けられており、このロール機構２１の一端部には、多孔シート３付きの採光シート２の巻き取り量を調整するためのチェーン２２が取り付けられている。チェーン２２は、その両端がロール機構２１に接続されたＵの字型であり、一方のチェーン２２を下げると多孔シート３付きの採光シート２の巻き取り量が減少して、採光シート２はより下方まで引き出される。他方のチェーン２２下げると、採光シート２の巻き取り量が増加して、採光シート２は上方に移動する。
【００３８】
採光シート２は、後述するように、光入射面に入射された光を偏向させる光偏向部（光偏向層）を有する。多孔シート３は、採光シート２の光入射面とは反対側の光出射面上の一部に配置されるものであり、多孔シート３には可視光透過孔が設けられている。よって、採光シート２を通過して多孔シート３に入射された光の少なくとも一部は、多孔シート３を通過して採光に利用可能となる。なお、可視光とは、波長範囲が３８０ｎｍから７８０ｎｍの光である。
【００３９】
多孔シート３は、採光シート２の光出射面上の複数箇所に離隔して配置されている。例えば、図２の例では、採光シート２の天地方向に沿って、一定間隔で、複数の多孔シート３が配置されている。より詳細には、採光シート２の天地方向において隣接する２枚の多孔シート３の隙間２ａ、すなわち、一方の多孔シート３の端から、その端に近接する他方の多孔シート３の端までの距離を一定としている。また、個々の多孔シート３の天地方向における幅３ａは同一としている。
【００４０】
個々の多孔シート３は、採光シート２の水平方向に延在されている。図１および図２では、各多孔シート３の水平方向長さを共通としており、いずれの多孔シート３も、採光シート２の水平方向長さとほぼ等しい長さを有する。
【００４１】
隣接する２枚の多孔シート３の間では、採光シート２の光出射面が露出している。よって、採光シート２から出射された光のうち、隣接する２枚の多孔シート３の間を通過した光は、多孔シート３で遮られることなく、主に斜め上方に進行する。
【００４２】
また、多孔シート３は、可視光透過孔を有するため、多孔シート３を通して内側に入射される光もある。多孔シート３は、その材料にもよるが、ある程度は入射光を拡散させて出射するため、多孔シート３を通しても、ある程度の採光効果は見込める場合がある。
【００４３】
多孔シート３は、採光シート２の光出射面上に、例えば接着材を介して接合される。多孔シート３の接合面に予め接着材を塗布して採光シート２の光出射面に接合してもよいし、採光シート２の光出射面に予め接着材を塗布して、採光シート２を接合してもよい。
【００４４】
図２の例では、多孔シート３を天地方向に一定間隔で配置しており、別の言い方をすると、採光シート２の光出射面が露出される領域が一定間隔で存在する。よって、光入射面の全体にわたって、一定の採光量が見込める。
【００４５】
多孔シート３は、規則的または不規則に多数の孔が設けられたシート状基材であり、シート状基材の材料は特に問わない。多孔シート３は、意匠性を考慮に入れると繊維シートが望ましいが、水回りでの使用を考慮に入れると、貫通孔を有する樹脂シートが望ましい。また、通気性や可視光透過性を考慮に入れると、繊維シートと樹脂シートのどちらでもよい。さらに、繊維シートと樹脂シートとを積層した構造や、シート面上に並べた構造にしてもよい。多孔シート３が繊維シートを含む場合、絹糸、綿糸、毛糸、化学繊維などの各種繊維を織った織布でもよいし、各種繊維を織らずに絡み合わせた不織布でもよいし、各種繊維を編んだ編み物でもよいし、各種繊維を用いたレースでもよいし、各種繊維を薄く板状に圧縮したフェルトでもよい。ただし、本実施形態の多孔シート３は、可視光を透過するための可視光透過孔を有するものである。
【００４６】
採光シート２の光入射面側は窓に面し、光出射面側は観察者の目に触れやすい。よって、採光シート２の光出射面に多孔シート３として繊維シートを配置することで、採光シート２にデザイン的な特徴を持たせることができる。繊維シートは、質感や肌触りを任意に調整でき、また色も種々変更できるため、採光具１の設置場所に合わせたデザインの繊維シートを採光シート２に貼り合わせることで、意匠性に優れた採光具１を提供できる。
【００４７】
ところで、大型のロールスクリーン１の場合、一枚の採光シート２では足りず、複数枚の採光シート２をつなぎあわせることになる。このとき、採光シート２同士のつなぎ目が目立ってしまうことがある。そこで、採光シート２の光出射面上に多孔シート３を配置する際には、つなぎ目に沿って多孔シート３を配置するか、あるいはつなぎ目に重なるように多孔シート３を配置して、つなぎ目が目立たなくするのが望ましい。
【００４８】
図３は図２に対応する採光具１の部分斜視図である。図２および図３では、つなぎ目４と多孔シート３の端部とが一致するように多孔シート３を配置する例を示している。
【００４９】
また、採光シート２内に後述するように溝を設けて、この溝に低屈折率の材料を充填して屈折率界面を形成する場合、溝の内部の空気により、低屈折材料が溝の内部に正しく充填されなかったり、低屈折材料が溝からあふれて周囲に広がるなどの不具合により生じた欠陥部５が、採光シート２の外観に現れてしまうことがある。
【００５０】
欠陥部５は、採光シート２内の溝の長手方向に沿って筋状にできる場合と、局所的な点状にできる場合とがある。いずれの場合も、多孔シート３を欠陥位置に沿って配置するか、あるいは多孔シート３を欠陥位置に重なる場所に配置すればよい。
【００５１】
図２では、隣接する２枚の多孔シート３同士の隙間を一定にしていたが、つなぎ目４や欠陥部５の位置に合わせて多孔シート３を配置すると、必ずしも隣接する多孔シート３同士の隙間が一定にならない場合もありうる。そこで例えば、つなぎ目４や欠陥部５の位置に合わせて多孔シート３を配置した後に、他の多孔シート３を、できるだけ多孔シート３同士の隙間が一定になるように配置してもよい。あるいは、つなぎ目４や欠陥部５の位置に合わせて配置される多孔シート３の周辺を除いて、他の多孔シート３同士の隙間を一定にしてもよい。
【００５２】
図４は図２の第１変形例による採光具１の部分断面図、図５は図２の第２変形例による採光具１の部分断面図である。
【００５３】
図４は天地方向に隣接配置された多孔シート３同士の隙間を不規則すなわちランダムにする例を示している。採光シート２内の欠陥部５の位置は不規則であるため、採光シート２内に複数の欠陥部５があり、欠陥部５の位置に合わせて多孔シート３を配置するようにすると、多孔シート３同士の隙間は不規則となる。また、つなぎ目４や欠陥部５の数が少なくて、つなぎ目４や欠陥部５の位置に合わせて多孔シート３を配置しただけでは、配置すべき多孔シート３の総数に達しない場合は、残りの多孔シート３を、作業者が不規則に配置してもよいし、配置場所が不規則になるように予め計算した配線場所に従って、多孔シート３を配置してもよい。
【００５４】
図４では、多孔シート３の天地方向における幅を一定としているが、多孔シート３の天地方向における幅を不規則としてもよい。また、多孔シート３の天地方向における幅を不規則にして、かつ多孔シート３同士の隙間を一定にしてもよい。
【００５５】
図５は多孔シート３同士の隙間が段階的に変化するように多孔シート３を配置する例を示している。この場合、例えば、採光シート２のつなぎ目４や欠陥部５がある場所付近の多孔シート３同士の隙間を狭くし、この場所から遠ざかるにつれて、徐々に多孔シート３同士の隙間を広げてもよい。
【００５６】
図５では、多孔シート３の天地方向における幅を一定としているが、多孔シート３の天地方向における幅を段階的に変化させてもよい。また、多孔シート３の天地方向における幅を段階的に変化させて、かつ多孔シート３同士の隙間を一定にしてもよい。
【００５７】
図６は図２の第３変形例による採光具１の部分斜視図、図７は図２の第４変形例による採光具１の部分斜視図、図８は図２の第５変形例による採光具１の部分斜視図、図９は図２の第６変形例による採光具１の部分斜視図である。
【００５８】
図２〜図５では、採光シート２の一方向のみに平行に多孔シート３を配置する例を示したが、図６は格子状に複数の多孔シート３を配置している。図６では、多孔シート３からなる格子の開口部では、採光シート２の光出射面が露出し、この光出射面から出射した光は斜め上方に跳ね上げられる。多孔シート３による格子の間隔を狭めるほど、開口部の面積は小さくなり、採光シート２のつなぎ目４や欠陥部５は目立たなくなる。格子を形成する多孔シート３の幅や本数を調整することで、採光性能を任意に調整可能である。
【００５９】
図７は、例えば円形の多孔シート３をそれぞれ離隔して、採光シート２の光出射面上に配置したものである。多孔シート３の形状は円形に限定されるものではなく、多角形や不定形など、任意の形状でもよい。図２〜図６のように、線状の多孔シート３を配置するよりも、図７のように形状に特徴のある多孔シート３を配置した方が意匠性に優れた採光具１を作製できる。
【００６０】
図７の円形の多孔シート３を採光シート２の光出射面上に配置する場合、採光シート２内に欠陥部５があれば、欠陥部５の位置に沿って、あるいは欠陥部５に重なる位置に多孔シート３を配置するのが望ましい。また、採光シート２につなぎ目４がある場合、円形の多孔シート３ではつなぎ目４を目立たなくすることはできないため、図２等に示した線状の多孔シート３と円形の多孔シート３を共に用いて、線状の多孔シート３でつなぎ目４を目立たなくするとともに、円形の多孔シート３で意匠性を向上させてもよい。
【００６１】
図８と図９は千鳥状に多孔シート３を配置する例を示している。図８は千鳥状に配置される多孔シート３の面積が不均一である例を示し、図９は千鳥状に配置される多孔シート３の面積が均一である例を示している。図８と図９のいずれにおいても、採光シート２につなぎ目４に沿って、複数の多孔シート３を配置できるため、つなぎ目４を目立たなくさせることができる。
【００６２】
（採光シート２の構造）
本実施形態による採光シート２は、図１０に示すように、基材層６の上に配置される光制御層７と、光制御層７の上に配置される接着層８と、基材層６の下に配置される保護フィルム９とを有する。採光シート５は接着層８を介して、例えば窓２０に貼り付けられる。
【００６３】
図１０の光制御層７は、光入射面７ａに沿って離隔して配置される複数の溝１０を有するベース部１１と、ベース部１１とは異なる屈折率を持ち複数の溝１０内に配置される複数のルーバー部１２とを有する。ルーバー部１２の内部は空洞でもよいし、ベース部１１とは異なる屈折率の充填材料を充填してもよい。
【００６４】
ルーバー部１２は、光入射面７ａに交差する方向に伸びる第１面１２ａおよび第２面１２ｂを有する。ルーバー部１２は、少なくともベース部１１との界面のうち第１面１２ａにおいて、ベース部１１とルーバー部１２との屈折率差に基いて光の進行方向を変化させる。図１０では、図示されたすべてのルーバー部１２が形状の異なる第１面１２ａおよび第２面１２ｂを有する非対称構造の例を示しているが、第１面１２ａと第２面１２ｂの形状が等しい対称構造であってもよい。
【００６５】
なお、採光具１を構成する採光シート２の断面構造は、必ずしも図１０のようなベース部１１とルーバー部１２で構成されている必要はなく、例えば、光入射面７ａに沿って複数の光学プリズム体を配置して、入射光を斜め上方に跳ね上げてもよい。
【００６６】
（採光シート２１の製法）
次に、本実施形態に係る採光シート２１の構成材料および製造工程について説明する。ベース部１１の材料としては、例えば、光硬化性プレポリマーと、反応性希釈モノマーと、金型離型剤と、光重合開始剤とを混合して均一化したものが用いられる。ベース部１１の材料は、紫外線硬化性樹脂を用いる代わりに、熱硬化性樹脂または電子線硬化性樹脂などの硬化性樹脂を用いてもよい。
【００６７】
ベース部１１に、図１０に示すような溝１０を形成するには、例えば金型ロールが用いられる。金型ロールの表面は、溝１０の形状に合わせてバイトにより切削されて、各溝１０の形状に対応する複数の凸部が形成される。
【００６８】
凸部が形成された金型ロールとニップロールの間にベース部１１の組成物を充填して両ロールにて加圧し、例えば高圧水銀灯により紫外線を照射してベース部１１の組成物を硬化させて、ベース部１１が形成される。その後、剥離ローラにより、金型ローラからベース部１１を離型し、ベース部１１を含む中間部材を作製する。
【００６９】
基材層６の材料としては、例えばポリエチレンテレフタレート（ＰＥＴ）又はポリカーボネート（ＰＣ）等の透明のフィルムが用いられる。基材層６の厚みは５〜２００μｍ、好ましくは１０〜１５０μｍ、より好ましくは５０〜１００μｍである。基材層６の厚みが５μｍより薄いと、生産時にしわがよったりして生産性が悪く、逆に、基材層６の厚みが２００μｍよりも厚いとコストが高くなり、例えばベース部１１を硬化させるときに基材層６越しに電離放射線を照射した場合に電離放射線のロスを生じるといった不具合が発生するおそれがある。
【００７０】
ベース部１１の溝１０に充填される充填物として、例えば、光硬化性プレポリマー等の紫外線硬化性樹脂と、反応性希釈モノマーと、光重合開始剤とを混合して均一化したものが用いられる。紫外線硬化性樹脂の代わりに、熱硬化性樹脂や電子線硬化性樹脂を用いてもよく、光散乱材を混合しても良い。
【００７１】
上述したように、本実施形態では、ベース部１１とルーバー部１２とで屈折率に違いを持たせている。ルーバー部１２に充填材料を充填する場合、ベース部１１もルーバー部１２も、熱硬化性樹脂、紫外線硬化性樹脂および電子線硬化性樹脂などの硬化性樹脂を材料として形成されるが、硬化性樹脂の材料や、それに含有される添加剤の種類等を変えることで、ベース部１１とルーバー部１２に屈折率差を持たせることができる。
【００７２】
接着層８の組成物は、例えば、熱可塑性樹脂であるポリビニルアセタール樹脂、エチレン酢酸ビニル共重合体樹脂、エチレンアクリル共重合体樹脂、ポリウレタン樹脂及びポリビニルアルコール樹脂等から一種若しくは複数を、可塑剤、酸化防止剤及び紫外線遮蔽剤といった添加剤と共に混合し用いたり、アクリル系樹脂の粘着材と、架橋剤と、希釈剤とを混合して形成されたりする。この接着層８の組成物を、シート若しくはフィルム状にして採光シート２１と透明基材との間に配置し、圧をかけて空気を押し出した後、加熱することで採光シート２１と一体化させたり、液状であれば離型フィルムに塗布して乾燥させた後、採光シート２１に貼付させたりする。なお、上記では、ルーバー部１２にベース部１１とは異なる屈折率の充填材料を充填する例について説明したが、これに限らず、ルーバー部１２の内部は空洞として形成してベース部１１とルーバー部１２とで屈折率に違いを持たせてもよい。
【００７３】
このように、第１の実施形態では、採光シート２の光出射面の一部に、可視光透過孔を有する繊維シートなどからなる多孔シート３を配置するため、意匠性に優れた採光具１を作製できる。また、採光シート２のつなぎ目４や欠陥部５に合わせて多孔シート３を配置することで、つなぎ目４や欠陥部５が目立たなくなる。さらに、多孔シート３の形状や配置場所を最適化することで、採光性能の低下を極力抑えることができる。また、多孔シート３の形状を任意に選択できるため、多孔シート３自体の意匠性に加えて、多孔シート３の形状にも意匠的な特徴を持たせることができる。
【００７４】
（第２の実施形態）
上述した第１の実施形態では、採光シート２の光出射面上で、多孔シート３が配置されていない領域は、採光シート２の光出射面が露出している。このため、多孔シート３が配置されていない領域では、採光シート２の採光性能を最大限に生かすことができる。その一方で、複数の多孔シート３を個別に採光シート２上に接合しなければならず、作業性が悪いという問題がある。
【００７５】
以下に説明する第２の実施形態は、この問題を解決するものである。
図１１は第２の実施形態による採光具１の斜視図である。図１１の採光具１内の多孔シート３は、互いに可視光透過率が異なる第１透過率部３ａと第２透過率部３ｂを有する。第２透過率部３ｂは、第１透過率部３ａよりも可視光透過率を高くしている。第２透過率部３ａは、織布、不織布、編み物、レース、フェルトまたは樹脂素材で形成されている。第２透過率部３ｂは、例えば可視光に対して透明な領域でもよいし、第１透過率部３ａと同様の材料で形成され、単位面積当たりの孔の総面積を第１透過率部３ａよりも少なくしてもよい。第２透過率部３ｂの可視光透過率が高いほど、採光性能は向上する。その一方で、テカり感やぎらつきが目立つため、意匠性を鑑みると、第２透過率部３ｂの可視光透過率は高くない方が望ましい。採光性能と意匠性のバランスにて第２透過率部３ｂの可視光透過率を決定するのが望ましい。
【００７６】
多孔シート３内の第１透過率部３ａと第２透過率部３ｂは、図２〜図５のように縞状に配置されていてもよいし、図６のように格子状に配置されていてもよいし、図７のように円形等の任意形状で配置されていてもよいし、図８および図９のように千鳥状に配置されていてもよい。
【００７７】
第２の実施形態による多孔シート３を用いて、採光シート２のつなぎ目４や採光シート２内の欠陥部５を目立たなくするには、多孔シート３の外径サイズを採光シート２よりも大きくして、採光シート２のつなぎ目４や欠陥部５の位置に合わせて多孔シート３を配置した後に、多孔シート３を採光シート２のサイズに合わせてカットすればよい。
【００７８】
このように、第２の実施形態では、採光シート２の光出射面の全体に多孔シート３を貼り付けるため、第１の実施形態よりも、製造が容易になる。また、多孔シート３内に、可視光透過率が互いに異なる第１透過率部３ａと第２透過率部３ｂを設けるため、第１の実施形態では単に開口部であった第１透過率部３ａにも意匠性を付加させることができる。
【００７９】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００８０】
１  ロールスクリーン、２  採光シート、３  多孔シート、４  つなぎ目、５  欠陥部、６  基材層、７  光制御層、８  接着層、９  保護フィルム、１０  溝、１１  ベース部、１２  ルーバー部、２０  窓、２１  ロール機構、２２  チェーン、
【図１】
2016069992.tif 000003
【図２】
2016069992.tif 000004
【図３】
2016069992.tif 000005
【図４】
2016069992.tif 000006
【図５】
2016069992.tif 000007
【図６】
2016069992.tif 000008
【図７】
2016069992.tif 000009
【図８】
2016069992.tif 000010
【図９】
2016069992.tif 000011
【図１０】
2016069992.tif 000012
【図１１】
2016069992.tif 000013